(57)【要約】【課題】  アイドラプーリ６を自動調心プーリとし、プーリ本体６０を揺動させてベルト８の蛇行や片寄り走行を防止する場合に、そのプーリ本体６０の回動変位が大きくなり過ぎないようにして、ひいてはベルト８の滑落をも防止する。【解決手段】  アイドラプーリ６を自動調心プーリとしない場合に、ベルト８の１回転中にプーリ１〜５のミスアライメントやベルト８自体の癖などによって自ずと発生する片寄り量を特定する。その自然発生的な片寄りによってベルト８の幅全体がプーリ本体６０の外周上で枢軸の位置Ｃ＊を越えることがなく、ベルト８が常にその幅内に枢軸の位置Ｃ＊を跨いで走行するように、ベルト８の幅を上記特定した片寄り量の２倍以上に設定する。ベルト８とプーリ本体６０の外周面との間の摩擦係数μを、この両者間の摩擦力がプーリ本体６０の最大回動時でもベルト８を滑落させる力以上となるように設定する。【選択図】    図９
2006300189.tif 000002
【特許請求の範囲】
【請求項１】
複数のプーリにベルトを巻き掛けてなるベルト駆動装置であって、
上記複数のプーリのうちの少なくとも１つが、プーリ本体を、その回転中心軸に沿って見て、軸荷重の方向に対し該プーリ本体の回転方向前側に所定角度傾倒した枢軸の周りに揺動自在に支持してなる自動調心プーリであり、
上記ベルトは、仮に上記自動調心プーリを設けない場合に１回転の間に生じる片寄り量の２倍以上の幅を有するものとされていることを特徴とするベルト駆動装置。
【請求項２】
請求項１に記載のベルト駆動装置において、
上記ベルトとプーリ本体の外周面との間の摩擦係数μは、該プーリ本体が揺動して枢軸の周りに最大限に回動変位したときでも、そのプーリ本体の回転中心軸が軸荷重の方向に対してなす角度をθとして、  μ  ≧  cotθ  （０＜θ≦π／２）  の関係式を満たす値とされていることを特徴とするベルト駆動装置。
【請求項３】
複数のプーリにベルトを巻き掛けてなるベルト駆動装置であって、
上記複数のプーリのうちの少なくとも１つが、プーリ本体を、その回転中心軸に沿って見て、軸荷重の方向に対し該プーリ本体の回転方向前側に所定角度傾倒した枢軸の周りに揺動自在に支持してなる自動調心プーリであり、
上記ベルトとプーリ本体の外周面との間の摩擦係数μは、該プーリ本体が揺動して枢軸の周りに最大限に回動変位したときでも、そのプーリ本体の回転中心軸が軸荷重の方向に対してなす角度をθとして、  μ  ≧  cotθ  （０＜θ≦π／２）  の関係式を満たす値とされていることを特徴とするベルト駆動装置。
【請求項４】
プーリ本体が、その回転中心軸に沿って見て、軸荷重の方向に対し該プーリ本体の回転方向前側に所定角度傾倒した枢軸の周りに揺動自在に支持されている自動調心プーリを備えたベルト駆動装置において、その自動調心プーリを含む複数のプーリに巻き掛けられるベルトであって、
上記ベルト駆動装置において仮に自動調心プーリを設けない場合に１回転の間に生じる片寄り量の２倍以上の幅を有することを特徴とするベルト。
【請求項５】
請求項４に記載のベルトにおいて、
上記プーリ本体の外周面との間の摩擦係数μが、該プーリ本体が揺動して枢軸の周りに最大限に回動変位したときでも、そのプーリ本体の回転中心軸が軸荷重の方向に対してなす角度をθとして、  μ  ≧  cotθ  （０＜θ≦π／２）  の関係式を満たす値とされていることを特徴とするベルト。
【請求項６】
プーリ本体が、その回転中心軸に沿って見て、軸荷重の方向に対し該プーリ本体の回転方向前側に所定角度傾倒した枢軸の周りに揺動自在に支持されている自動調心プーリを備えたベルト駆動装置において、その自動調心プーリを含む複数のプーリに巻き掛けられるベルトであって、
上記プーリ本体の外周面との間の摩擦係数μが、該プーリ本体が揺動して枢軸の周りに最大限に回動変位したときでも、そのプーリ本体の回転中心軸が軸荷重の方向に対してなす角度をθとして、  μ  ≧  cotθ  （０＜θ≦π／２）  の関係式を満たす値とされていることを特徴とするベルト。
【発明の詳細な説明】
【技術分野】
【０００１】
本発明は、複数のプーリにベルトを巻き掛けてなるベルト駆動装置と、それに用いるベルトとに関するものである。
【背景技術】
【０００２】
従来より、平ベルトを用いたベルト駆動装置においては、ベルトが走行中に蛇行したり、プーリの片側に寄る片寄り走行をしたりする、という問題のあることが知られている。これは、平ベルトが、他のベルトに比べて、プーリ軸の正規位置からのずれや、軸荷重の変化によるプーリ軸のたわみ、プーリの揺れ等のミスアライメントに敏感なためである。このような蛇行・片寄り走行を生じた場合には平ベルトが平プーリのフランジに接触して、該平ベルト側面の毛羽立ちや心線のほつれを生ずる。
【０００３】
この問題に対して、平プーリの外周面にクラウンをつけることは良く知られている（例えば特許文献１等を参照）。すなわち、プーリ外周面が中凸形状となるようにその幅の中央寄りを相対的に大径として、ベルト幅内で張力差が生じるようにすると、張力の高い中央部に向かってベルトが左右両側から引き寄せられ、プーリ幅の中央付近を安定して走行するようになるからである（以下、そのようにして張力が高くなっている側にベルトが寄っていくことをクラウン作用ともいう）。
【０００４】
そのように張力の高い側にベルトが寄っていく理由は未だ十分に解明されていないが、例えば平ベルトがクラウンのついたプーリの外周上で幅方向に片寄り、そのベルト幅内で張力差を生じると、この張力差によってベルトが該クラウンプーリ自体やその進出側のプーリ上で斜めに巻き付くようになり、この結果としてベルトの走行位置が変化するものと考えられている。
【０００５】
また、特許文献２には、平プーリの外周面に多数の溝を周方向に間隔をおいて形成したものが開示されている。その溝は、プーリの幅中央から左右両側へ「く」の字状になるように対称に延びたものであり、ベルトとプーリとの間に該ベルトを中央に寄せるような摩擦力を発生させて、当該ベルトの蛇行ないしは片寄りを防止するようになっている。
【０００６】
さらに、平プーリの両側にガイドプーリを配置し、これによりベルトの走行位置を規制するという技術も知られている（例えば特許文献３等を参照）。
【特許文献１】実開昭５９−４５３５１号公報
【特許文献２】特開平６−３０７５２１号公報
【特許文献３】実公昭６３−６５２０号公報
【発明の開示】
【発明が解決しようとする課題】
【０００７】
しかし、上記従来例のようにプーリ外周にクラウンをつける場合、ベルトの走行安定性（蛇行や片寄りの防止）を重要視してクラウンの曲率半径を小さくすれば、そのベルトの幅の中央付近に応力が集中し、ベルト幅全体を伝動に有効に利用することができず、心線の早期疲労及び伝動能力の低下を招く。
【０００８】
また、平プーリに上述の如き溝加工をすると、該平プーリの製造コストが高くなり、しかも、溝加工だけではベルトの蛇行や片寄りを確実に防止することは難しい。
【０００９】
さらに、平プーリの両側にガイドプーリ等を配置してその走行位置を規制する方式を採用すると、ベルトの両側がそのような規制部材に常時接触することになるため、その側面のほころび、心線のほつれを生じ易くなる。従って、それらを防止するためにベルトに特殊な加工を施すことが必要になり、その製造コスト低減に不利になる。
【００１０】
以上のような理由から、平ベルト伝動装置は、Ｖベルトなど他のベルトに比べてベルトの曲げによるロスが少なく伝動効率が非常に高いにも拘わらず、十分に活用されていないのが実情である。また、上記の蛇行や片寄り走行は、ベルト伝動装置のみならず、ベルト搬送装置も含めたベルト駆動装置全般に共通の問題である。
【００１１】
これに対し、本願の発明者は、ベルトの片寄りを生じたときに、このベルトの張力によってプーリやプーリの軸にかかる軸荷重の位置が変化することを利用して、この軸荷重によりプーリをベルトの走行方向に対し斜交いになるように傾斜させ、これによりベルトの片寄りを戻すようにした新規な伝動装置を開発して、先に特許出願をしている（例えば特願２００４−０５８６３２号等）。
【００１２】
上記先願に係るベルト伝動装置の特徴は、上記の如く自動的にベルトの走行位置を調整するプーリ（以下、自動調心プーリともいう）の構造にある。具体的に、このプーリは、ベルトの巻き掛けられる円筒状のプーリ本体と、該プーリ本体を回転自在に支持する筒状の軸部材と、この軸部材の筒孔に挿入された支持ロッドとを備え、該支持ロッド及び軸部材がピン等により係合されて、このピン等の周りにプーリ本体及び軸部材が揺動するようになっている。
【００１３】
そして、上記自動調心プーリは、上記ピン等の軸心、即ち上記プーリ本体及び軸部材の揺動中心となる枢軸が、該プーリ本体の回転中心軸に直交し、且つ軸荷重の方向に対し該プーリ本体の回転方向前側に傾倒するように配置される。こうすることで、ベルトの片寄りに伴い軸荷重の位置がプーリ幅方向にずれて、この軸荷重によりプーリ本体が揺動し、枢軸の周りに回動変位したときに、その軸荷重の方向について高低をみれば、プーリ本体はベルトの片寄ってきた側が低く、反対側が高くなるように傾斜するとともに、そのベルトの片寄ってきた側がベルト走行方向の前側になるように、ベルトの走行方向に対して斜交いになる。
【００１４】
そのように軸荷重の方向に傾斜することで、プーリ本体の外周面は上述のクラウンプーリのように傾斜した状態になり、クラウン作用によってベルトがその張力の高い側、即ちプーリ幅の中央寄りに引き寄せられることになる。また、上記のようにプーリ本体が斜交いになることによって、直接的にベルトの走行方向がプーリ幅の中央寄りに向けられる。こうしてベルトの走行位置がプーリ幅の中央寄りに戻されるものである。
【００１５】
ところが、上記先願に係る平ベルト伝動システムにおいて種々のベルトを用い、様々なレイアウトで走行試験を重ねた結果、本願の発明者は、比較的幅の狭いベルトを使用したときには、このベルトの片寄りによって上述の如く自動調心プーリのプーリ本体が回動変位しても、ベルトの走行位置が戻されることなく片寄ったままになることがあり、さらには脱落することすらあることを見出した。
【００１６】
すなわち、ベルトの幅が狭いときには、その片寄りがあまり大きくなくても、ベルト幅全体がプーリ幅の中央位置（プーリ本体の外周上で枢軸に対応する位置であり、以下、枢軸の位置ともいう）を越えてしまいやすく、こうなると、軸荷重による枢軸周りの回動モーメントが急激に増大することになる。しかも、ベルト幅が狭ければ、その分、このベルトを捻る際の抵抗力は小さくなるから、上記回動モーメントの急増によってプーリ本体の回動量が過度に大きくなりやすい。
【００１７】
そして、そうしてプーリ本体の回動変位が大きくなるほど、その一側に片寄っているベルトを元の位置に戻すための仕事量が相乗的に増大する。これは、プーリ本体においてベルトの片寄ってきた側が軸荷重の方向に回動変位するということは、そのベルトが緩むということであり、このベルトを元の走行位置に戻すためには、単にベルトをプーリ外周に沿ってずらすだけでなく、ベルトを張り直す必要があるからである。
【００１８】
特にオートテンショナを備えたベルト伝動装置の場合、上記のようにベルトが緩めば、これを押圧するようにテンションプーリが移動してベルト張力を維持することになるから、その後、ベルトの位置を元に戻そうとすれば、テンションプーリを押し返しながらベルトを張り直さなくてはならず、そのために必要な力がかなり大きくなってしまう。
【００１９】
さらに、そうしてベルトを戻すのに大きな力が必要になる一方で、ベルトの幅が狭いときには、上記のようにプーリ本体が回動変位してその外周面がクラウンのように傾斜した状態になっても、狭いベルト幅内にて生じる張力差があまり大きくはならないから、上述したクラウン作用による力もあまり大きくはならない。
【００２０】
つまり、ベルトの幅が狭いときほど、その片寄りによってプーリ本体の過大な回動変位が起こりやすく、その片寄ったベルトを元の走行位置に戻すのに必要な仕事量が大きくなる上に、そのベルトを戻すための力は弱くなるので、そうして片寄ったベルトの走行位置をなかなか戻すことができなくなり、場合によってはベルトが片寄ったままになってしまうのである。
【００２１】
さらにまた、そうしてプーリ本体が過大に回動変位したときには、上述の如く軸荷重の方向について高低をみれば、プーリ本体の外周面の傾斜が急になるから、その外周に沿って片寄ってきたベルトの張力がこのベルトをさらに片寄らせるように作用することになり、この力がベルトとプーリ外周面との間の摩擦力を上回るときには、ベルトがプーリ本体から滑落することもあるのである。
【００２２】
本発明は斯かる諸点に鑑みてなされたものであり、その目的とするところは、ベルト駆動装置において平ベルト、その他のベルトの蛇行や片寄りを防止するために上記先願に係る自動調心プーリを用いる場合に、そのプーリ本体の回動変位が大きくなり過ぎないようにし、ひいてはベルトの滑落を防止することにある。
【課題を解決するための手段】
【００２３】
上記の目的を達成するために、本発明は、プーリのミスアライメントやベルト自体の癖などによって自ずと発生するベルトの片寄り量を特定し、この自然発生的な片寄りによってベルトの幅全体がプーリ本体の外周上で枢軸の位置を越えることがないように、そのベルトの幅を上記片寄り量の２倍以上に設定したものである。
【００２４】
すなわち、本発明のベルト駆動装置は、複数のプーリにベルトを巻き掛けてなるものであって、
上記複数のプーリのうちの少なくとも１つが、プーリ本体を、その回転中心軸に沿って見て、軸荷重の方向に対し該プーリ本体の回転方向前側に所定角度傾倒した枢軸の周りに揺動自在に支持してなる自動調心プーリであり、
上記ベルトは、仮に上記自動調心プーリを設けない場合に１回転の間に生じる片寄り量、即ちベルト駆動装置の本来の使用状況において特に外乱のような力が作用しなくても、プーリのミスアライメントやベルト自体の癖によって自然に発生する片寄り量の２倍以上の幅を有するものとされていることを特徴とする。
【００２５】
上記構成のベルト駆動装置における自動調心プーリの作用は、上述した先願（例えば特願２００４−０５８６３２号等）のものと同じであり、ベルトが走行中にプーリ本体上で幅方向に片寄って、軸荷重が枢軸の位置からプーリ幅方向にずれて作用するようになると、その軸荷重によって枢軸周りの回転モーメントが働いて、プーリ本体が回動変位（揺動）する。
【００２６】
そうして回動変位したプーリ本体は、ベルトの片寄った側が軸荷重の方向に移動していて、その軸荷重の方向について高低をみれば、ベルトの片寄ってきた側が低く、反対側が高くなるように、即ち外周面がクラウンと同様に傾斜した状態になる。これにより、ベルトは、その幅内で張力の高い側、即ちプーリ幅の中央寄り（枢軸寄り）に引き寄せられるようになる（クラウン作用）。
【００２７】
また、上記プーリ本体の回動変位には、上記軸荷重方向の成分だけでなく、その軸荷重方向に直交するベルト走行方向の成分も含まれ、プーリ本体は、ベルトの片寄ってきた側がベルト走行方向の前側に移動して、ベルトの走行方向に対して斜交いの状態になって、ベルトの走行方向をプーリ幅の中央寄り（枢軸寄り）に変えるようになる。
【００２８】
ここで、上記ベルトの幅がベルト駆動装置において自然に発生する片寄り量の２倍以上とされていることから、上記のように自動調心プーリのプーリ本体上でベルトが幅方向に片寄ったときでも、通常、ベルトは、その幅全体が枢軸の位置を越えることはなく、常にそのベルト幅内に枢軸の位置を跨いで走行するようになる。
【００２９】
そのようにベルトがその幅内に枢軸の位置を跨いで走行する状態では、軸荷重の全部が枢軸周りの一方の向きにのみ回動モーメントを生じさせることがないから、そのモーメント力はベルトの片寄りに応じて適切な度合いで漸増する。しかも、ベルト幅が広いほど、その捻りに対する抵抗力が大きくなり、これがプーリ本体の揺動（回動変位）を抑える働きをする。そのため、ベルトの自然な片寄りに対して自動調心プーリのプーリ本体が過度に大きく回動変位することはない。
【００３０】
これに加えて、ベルトの幅が広いほど、上記プーリ本体の軸荷重方向への変位によってその幅内に生じる張力差が大きくなるから、上述したクラウン作用が強くなり、上記自動調心プーリによるベルトの走行位置を戻す力が大きくなる。
【００３１】
従って、上記構成のベルト駆動装置では、通常の運転状態でベルトが自然に幅方向に片寄ると、その片寄りに対して自動調心プーリのプーリ本体が適度に回動変位することによってベルトの走行位置を戻すようになり、大きな外乱などを受けない限りは、ベルトの片寄り量が比較的小さいうちに、これに対応する比較的小さな回動変位によってベルトの走行位置を戻すことができる。
【００３２】
つまり、上記の構成によれば、ベルトの幅を適度に広くしたことにより、通常は自動調心プーリのプーリ本体が過大に回動変位することがなく、従って、その片寄ったベルトが戻り難くなったり、さらには片寄ったまま戻らなくなったりすることを防止でき、ひいてはベルトの滑落も防止することができる。
【００３３】
上記のようなベルト駆動装置において、より好ましいのは、上記ベルトとプーリ本体の外周面との間の摩擦係数μを、該プーリ本体が揺動して枢軸の周りに最大限に回動変位したときでも、そのプーリ本体の回転中心軸が軸荷重の方向に対してなす角度をθとして、  μ  ≧  cotθ  （０＜θ≦π／２）  という関係式を満たす値とすることである（請求項２の発明）。
【００３４】
ここで、プーリ本体の回転中心軸が軸荷重の方向に対してなす角度というのは、その回転中心軸線と軸荷重のベクトルとが両方含まれる仮想平面において両者のなす角度のことであり、この角度θは幾何学的に、０≦θ≦π／２の関係にあり、それが小さいということは、軸荷重の方向について高低をみれば、プーリ本体の外周面の傾斜が急である、ということである。
【００３５】
そして、プーリ本体が回動変位したときに上記仮想平面においてベルトに作用する力の釣り合いは、例えば図１１のようになり、張力によってベルトをプーリ外周に押し付ける力Ｆとそのプーリ外周からの反力Ｆ０との合力として、そのプーリ外周に沿ってベルトを滑らせてさらに片寄らせるように作用する力Ｆ１が加わる一方で、そのベルトとプーリ外周との間に摺動摩擦力Ｄが作用する。
【００３６】
そのため、仮に外乱などによってベルトがプーリ本体の端部付近まで片寄り、これに応じてプーリ本体が最大限に回動変位して、その外周面の傾斜が急になっても（θが小さくなっても）、上記摩擦力Ｄがベルトをプーリ外周に沿って滑らせる力Ｆ１以上であれば、ベルトがプーリ本体から滑り落ちることはない。すなわち、ベルトとプーリ本体の外周面との間の摩擦係数をμとし、図を参照して、
Ｄ  ＝  μ×Ｆ０  ＝  Ｆsinθ  （０＜θ≦π／２）
Ｆ１  ＝      Ｆcosθ  （０＜θ≦π／２）  であるから、
Ｄ  ＝  μ×Ｆsinθ  ≧  Ｆ１  ＝  Ｆcosθ  となり、従って、
μ  ≧  cosθ／sinθ  ＝cotθ  （０＜θ≦π／２）  という関係式を満たせば、ベルトがプーリ本体から滑り落ちることはないのである。
【００３７】
そのように万が一のベルトの滑落を防止するという作用からみれば、本発明のベルト駆動装置は、複数のプーリにベルトを巻き掛けてなるものであって、
上記複数のプーリのうちの少なくとも１つが、プーリ本体を、その回転中心軸に沿って見て、軸荷重の方向に対し該プーリ本体の回転方向前側に所定角度傾倒した枢軸の周りに揺動自在に支持してなる自動調心プーリであり、
上記ベルトとプーリ本体の外周面との間の摩擦係数μは、該プーリ本体が揺動して枢軸の周りに最大限に回動変位したときでも、そのプーリ本体の回転中心軸が軸荷重の方向に対してなす角度をθとして、  μ  ≧  cotθ  （０＜θ≦π／２）  の関係式を満たす値とされていることを特徴とするものである（請求項３の発明）。
【００３８】
また、別の観点から、本発明は、上述の如く自動調心プーリを備えたベルト駆動装置において用いられるベルトであって、そのベルト駆動装置において仮に自動調心プーリを設けない場合に１回転の間に生じる片寄り量の２倍以上の幅を有することを特徴とするものである（請求項４の発明）。このようなベルトを、上記自動調心プーリを備えたベルト駆動装置において使用することにより、上記請求項１の発明の作用が得られる。
【００３９】
その場合に、上記ベルトとプーリ本体の外周面との間の摩擦係数μを、該プーリ本体が揺動して枢軸の周りに最大限に回動変位したときでも、そのプーリ本体の回転中心軸が軸荷重の方向に対してなす角度をθとして、  μ  ≧  cotθ  （０＜θ≦π／２）  の関係式を満たす値とすれば（請求項５の発明）、上記請求項２の発明の作用が得られる。
【００４０】
或いは、本発明は、上述の如く自動調心プーリを備えたベルト駆動装置において用いられるベルトであって、プーリ本体の外周面との間の摩擦係数μを、該プーリ本体が揺動して枢軸の周りに最大限に回動変位したときでも、そのプーリ本体の回転中心軸が軸荷重の方向に対してなす角度をθとして、  μ  ≧  cotθ  （０＜θ≦π／２）  の関係式を満たす値としたものである（請求項６の発明）。このベルトを使用することによって、上記請求項４の発明の作用が得られる。
【００４１】
尚、上記ベルトとしては、平ベルト、歯付ベルト（タイミングベルト）等、その種類は問わないが、平ベルトの場合は、その内周面及び外周面のいずれをプーリ本体に接触させるようにしてもよく、歯付ベルトの場合は、その伝動面の背面をプーリ本体に接触させるようにする。
【発明の効果】
【００４２】
以上のように、本発明に係るベルト駆動装置によると、ベルトの片寄りに伴い軸荷重によって回動変位し、これによりベルトの走行位置を調整する自動調心プーリを備える場合に、プーリのミスアライメントやベルト自体の癖などによって自然に発生するベルトの１回転あたりの片寄り量を特定し、この片寄り量の２倍以上の幅のベルトを用いることによって、上記自動調心プーリの回動変位がベルトの片寄りに対し過度に大きくならないようにして、それが元の走行位置に戻り難くなったり、さらには片寄ったまま戻らなくなったりすることを防止でき、ひいてはベルトの滑落も防止することができる。
【００４３】
また、上記ベルト及びプーリ本体間の摩擦係数を、この両者間の摩擦力がプーリ本体の最大回動時でもベルトを滑落させる力以上となるように設定することで、仮に外乱などによってベルトが大きく片寄り、プーリ本体が最大限に回動変位したときの万が一の滑落も防止することができる。
【発明を実施するための最良の形態】
【００４４】
以下、本発明の実施形態を図面に基づいて詳細に説明する。
【００４５】
図１は、本発明に係るベルト駆動装置を自動車用エンジンの補機駆動システムＡとした場合のベルト及びプーリのレイアウトを模式的に示す。同図において符号１は、駆動軸であるエンジンＥのクランクシャフト（図示せず）に回転一体に取付固定されたクランクプーリである。また、符号２〜６はそれぞれ従動プーリであり、例えば、２は、エンジン補機であるパワーステアリング用ポンプ（図示せず）の回転軸に回転一体に取付固定されたＰＳポンププーリ、３は、同様にオルタネータ（図示せず）の回転軸に固定されたオルタネータプーリであり、４は、同様に空調機用コンプレッサ（図示せず）の回転軸に固定されたコンプレッサプーリである。さらに、５は、伝動ベルト８の張力を調整するためのオートテンショナ７のテンションプーリであり、６はアイドラプーリである。
【００４６】
上記クランクプーリ１、ＰＳポンププーリ２、オルタネータプーリ３、コンプレッサプーリ４、テンションプーリ５及びアイドラプーリ６はいずれも平プーリからなり、これらのプーリ１〜６間に平ベルトからなる伝動ベルト８が巻き掛けられている。この平ベルト８は、一例として心線を有するコード平ベルトなどとすればよい。
【００４７】
上記オートテンショナ７は、詳細は図示しないが、エンジンＥ側に固定される固定部７０と、この固定部７０に回動可能に支持された回動アーム７１とを備え、この回動アーム７１の先端側にテンションプーリ５が回動自在に支持されている。その固定部内には捩りコイルばねなどのばね部材が収容されており、捩りトルクによって回動アーム７１を、テンションプーリ５がベルト８を押圧する方向に回動付勢して、これによりベルト８の張力を略一定に維持するようになっている。
【００４８】
上記平ベルト８は、上記クランクプーリ１及び各補機の駆動プーリ２〜４にあってはそれぞれ伝動面である内周面をプーリ２〜４に接触させた正曲げ状態で、またテンションプーリ５及びアイドラプーリ６にあってはそれぞれ外周面（背面）をプーリ５，６に接触させた逆曲げ状態で巻き付けられて、いわゆるサーペンタインレイアウトで巻き掛けられている。そして、エンジンＥの運転に伴うクランク軸（クランクプーリ１）の回転により、ベルト８がクランクプーリ１→テンションプーリ５→ＰＳポンププーリ２→オルタネータプーリ３→アイドラプーリ６→コンプレッサプーリ４→クランクプーリ１の順に図において時計回り方向に走行して、各補機を駆動するようになっている。
【００４９】
尚、図示のベルト駆動装置の構成はあくまで一例に過ぎず、如何なる意味においても本発明の構成を限定するものではない。本発明に係るベルト駆動装置は、上記のようなエンジンの補機駆動システムに限らず、各種の産業機械、その他の機器に利用することが可能であり、その場合に必要に応じて種々のレイアウトを採用することができる。
【００５０】
（自動調心プーリ）
この実施形態では、上記アイドラプーリ６が、ベルト８の片寄りに伴いその片寄りを戻すように揺動して、そのベルト８の走行位置を自動調整する自動調心プーリとされている。その具体的な構造は、例えば図２及び図３に示すように、ベルト８の巻き掛けられる円筒状のプーリ本体６０と、このプーリ本体６０をベアリング６１によって回転中心軸Ｃ１の周りに回転自在に支持する筒状の軸部材６２と、この軸部材６２を上記回転中心軸Ｃ１に直交する枢軸Ｃ２の周りに揺動自在となるように、該枢軸Ｃ２を構成するピン６４を介して支持する支持ロッド６３と、からなる。
【００５１】
上記支持ロッド６３は、その長手方向の基端側に鍔部６３ａが形成され、この鍔部６３ａがブラケットＢ等に締結されてエンジンＥのシリンダブロックの側壁に固定される一方、上記軸部材６２の筒孔に挿入される先端側の部位は、図３(b)に示すように断面円形ロッドを縦に半割りにカットしたような断面Ｄ字状に形成されていて、その外周の平坦面６３ｂ（以下、Ｄカット面という）が上記枢軸Ｃ２に略直交するように配置されている。
【００５２】
また、上記支持ロッド６３の先端側には、断面Ｄ字状に形成された部位の中央付近で上記枢軸Ｃ２に沿って支持ロッド６３の半径方向に延びる断面円形の貫通孔が形成され、この貫通孔の一端（図の下端）が上記Ｄカット面６３ｂに開口する一方、該貫通孔の他端は、支持ロッド６３先端側の外周の円弧面に開口している。
【００５３】
一方、上記軸部材６２の筒孔は、上記支持ロッド６３先端側の断面形状に対応して断面Ｄ字状に形成されている。すなわち、軸部材６２の筒内面には、支持ロッド６３のＤカット面６３ｂに対し枢軸Ｃ２方向に対向する平坦な対向面６２ａが該枢軸Ｃ２に直交するように形成されるとともに、上記支持ロッド６３の外周円弧面を囲むように円弧面が形成され、これら対向面６２ａ及び円弧面には、それぞれ、支持ロッド６３の貫通孔に対応する部位に開口し、枢軸Ｃ２に沿って延びるように断面円形の支持孔が形成されている。
【００５４】
そして、上記支持ロッド６３の貫通孔に上記ピン６４が挿通され、このピン６４の両端部がそれぞれ上記軸部材６２の支持孔に嵌入されている（即ち、ピン６４は、プーリ本体６０の幅の略中央部に配置され、支持ロッド６３のＤカット面６３ｂ及び軸部材６２の対向面６２ａに直交している）。また、上記ピン６４の外周面と支持ロッド６３の貫通孔内面との間には円筒状の樹脂製摺動材６５が配設され、一方、支持ロッド６３のＤカット面６３ｂと軸部材６２の対向面６２ａとの間には、概略円盤状をなすニードルベアリング６６（ボールベアリング等でもよい）が介設されている。
【００５５】
この構成により、上記軸部材６２及びプーリ本体６０は、上記支持ロッド６３に対してピン６４（枢軸Ｃ２）の周りに揺動自在に支持されており、ベルト８の幅の略中央位置がプーリ本体６０の幅の略中央位置、即ち該プーリ本体６０の外周面上で枢軸Ｃ２に対応する幅方向の位置（以下、単に枢軸Ｃ２の位置ともいう）からずれると、このベルト８の張力により軸部材６２に作用する軸荷重が上記枢軸Ｃ２の周りに発生させる回動モーメントを受けて、上記ピン６４の周りに揺動するようになっている。
【００５６】
尚、上記支持ロッド６３のＤカット面６３ｂに連なるロッド外周の円弧面と、これを取り囲む軸部材６２の円弧状筒内面との間には、上記ピン６４を軸として軸部材６２がプーリ本体６０とともに揺動することを許容するための隙間が形成されている。
【００５７】
そうして、上記アイドラプーリ６は、上記図１に示すような補機駆動システムＡにおいて、図４に模式的に示すように回転中心軸Ｃ１に沿って見て、ベルト８の張力により発生する軸荷重Ｌの方向を基準として、枢軸Ｃ２をプーリ本体６０の回転方向前側に、即ち、図に矢印Ｒで示すベルト走行方向の前側に、所定角度αだけ傾倒させた状態で配設されている。これにより、該プーリ本体６０に巻き掛けられて走行するベルト８が幅方向に片寄ったときには、これによる軸荷重位置のずれによってプーリ本体６０が軸荷重方向に傾斜するとともに、ベルト８の走行方向に対し斜交いになって、当該ベルト８の片寄りを戻すようになっている。
【００５８】
詳しくは、図５に一例を示すように、ベルト８の幅方向中央位置がプーリ本体６０の幅の略中央位置にあるときには、軸荷重のベクトルＬが枢軸Ｃ２と交差し、その分力Ｌｏが枢軸Ｃ２に沿って作用するとともに、分力Ｌ１が枢軸Ｃ２に直交するように作用する。一方、図示しないが、ベルト８が幅方向（プーリ本体６０の回転中心軸Ｃ１の方向）に片寄ると、その片側に軸荷重Ｌがずれて作用するようになり、こうなると、軸荷重の分力Ｌ１により軸部材６２に枢軸Ｃ２周りの回転モーメントが働いて、該軸部材６２がプーリ本体６０とともにピン６４（枢軸Ｃ２）の周りに揺動（回動変位）するようになる。
【００５９】
すなわち、上記の如くベルト８が片寄って軸荷重Ｌの位置が枢軸Ｃ２の位置からずれたときでも、仮にその軸荷重Ｌの方向が枢軸Ｃ２と平行であれば、このときにはＬ＝Ｌｏ、Ｌ１＝０となり、枢軸Ｃ２周りの回転モーメントは発生しないが、この実施形態のように軸荷重Ｌの方向が枢軸Ｃ２の方向から角度αだけ傾いていれば、その軸荷重Ｌの分力Ｌ１によって枢軸Ｃ２周りの回転モーメントが発生し、これにより軸部材６２及びプーリ本体６０が枢軸Ｃ２の周りに回動変位することになるのである。ここで、上記角度αが、軸荷重Ｌの方向を基準とする枢軸Ｃ２の傾倒角に相当する。
【００６０】
そして、この実施形態では、上記図４等に示すように枢軸Ｃ２が軸荷重Ｌの方向に対しプーリ本体６０の回転方向前側に傾倒しているから、上記の如くプーリ本体６０及び軸部材６２が軸荷重の分力Ｌ１によってピン６４（枢軸Ｃ２）の周りに揺動するときには、該プーリ本体６０は、軸荷重Ｌに直交する方向に見て図６（図４のVI矢視図）に示すように、その軸荷重Ｌの方向（図の上下方向）についてベルト８の片寄ってきた側が低く、反対側が高くなるように傾斜し、これと同時に、その軸荷重Ｌの方向に見て図７（図４のVII矢視図）に示すように、ベルト８の片寄ってきた側がベルト走行方向Ｒの前側になるように、ベルト８の走行方向に対して斜交いになる。尚、上記図６及び図７においてベルト８は、それが片寄ってプーリ本体６０が回動変位した状態のみを仮想線（二点鎖線）で示している。
【００６１】
そのようにプーリ本体６０が回動変位し、上記図６のように軸荷重Ｌの方向へ傾斜することによって、プーリ本体６０の外周面は従来周知のクラウンのついたプーリのように傾斜した状態になるから、クラウン作用によってベルト８がその張力の高い側、即ちプーリ本体６０の幅の中央寄りに引き寄せられることになる。また、上記図７のようにプーリ本体６０がベルト８の走行方向に対して斜交いになることによって、ベルト８の走行方向は直接的にプーリ幅の中央寄りに向けられることになる。こうしてベルト８の走行位置がプーリ幅の中央寄りに戻されるようになり、ベルト８の蛇行や片寄り走行が防止される。
【００６２】
（ベルトの幅と摩擦係数）
ところで、上述の如く自動調心プーリ（アイドラプーリ６）を用いて平ベルト８の蛇行や片寄り走行を防止するようにしたベルト駆動装置において、本願の発明者が種々のベルトを用い、様々なレイアウトで走行試験を行った結果、伝動ベルト８として比較的幅の狭いものを用いた場合には、このベルト８の片寄りによって上述の如くアイドラプーリ６のプーリ本体６０が回動変位しても、ベルト８の走行位置が戻されることなく片寄ったままになることがあり、さらには滑落する虞れもあることが分かった。
【００６３】
そのように自動調心プーリの機能が損なわれる理由は以下のように考えられる。すなわち、自動調心プーリでは、ベルト８の片寄りに応じてプーリ本体６０を揺動させて、図８に誇張して仮想線で示すように、そのベルト８の片寄ってきた側を軸荷重Ｌの向きに変位させるようにしており、このプーリ本体６０の回動変位に伴い入り側及び出側の両方でベルトスパン長さが短くなるから、ベルト８の張力が低下する（緩む）ことになる。
【００６４】
そうしてベルト８の片寄り及びプーリ本体６０の回動変位によって当該ベルト８が緩むということは、このベルト８の片寄りを戻すときには、単にベルト８をプーリ本体６０の外周に沿って滑らせるだけでなく、それを張り直さなくてはならないということであり、その分、必要な戻し力や仕事量が大きくなってしまうのである。
【００６５】
そのような片寄りを戻すための仕事量の増大は、プーリ本体６０の回動変位量があまり大きくないときには殆ど問題にならず、実質、無視することができる。すなわち、上記図６，７などのように、ベルト８がその幅内にプーリ本体６０の幅の中央位置（枢軸の位置）を跨いで走行しているときには、図９に模式的に示すように、張力によってベルト８からプーリ本体６０に作用する分布荷重ｆ１，…，ｆ２，…のうち、枢軸の位置Ｃ＊よりも幅方向一側（図の左側）のものｆ１，ｆ１，…のみが枢軸Ｃ２周りの一方の向き（図の反時計回り）に回動モーメントを生じさせ、残りの分布荷重ｆ２，…は逆向きのモーメントを生じさせる。
【００６６】
言い換えると、上記ベルト８からプーリ本体６０に作用する分布荷重ｆ１，…，ｆ２，…の合力Ｆ（軸荷重Ｌに相当する力であり、以下、軸荷重相当力ともいう）の全てがプーリ本体６０に回動モーメントを生じさせるわけではないので、そのモーメント力はベルト８の片寄りに応じて漸増することになる。そして、そのモーメント力によって上述の如くプーリ本体６０が回動変位することで、ベルト８の走行位置をその片寄りが大きくなる前に戻すことができる。
【００６７】
これに対し、ベルト８の幅が狭いときには図１０に模式的に示すようになり、上記図９の場合とベルト８の片寄り量自体は同じであっても、ベルト８の幅全体がプーリ本体６０の幅の中央位置（枢軸の位置Ｃ＊）を越えてしまう。こうなると、上記分布荷重ｆ１，…，ｆ２，…の全て、即ち軸荷重相当力Ｆの全てが上記一方の向きの回動モーメントを生じさせることになり、回動モーメントの急激な増大によってプーリ本体６０の回動変位量が過度に大きくなってしまう。
【００６８】
そうしてプーリ本体６０の回動変位が過大なものになると、上記したベルト８の緩みが大きくなって、このベルト８を張り直すための仕事量が無視できないほど大きくなるとともに、図１１に示すようにプーリ本体６０の傾斜が急になるから、その外周に沿って片寄ってきたベルト８の張力が当該ベルト８をさらに片寄らせるように作用することになり、このベルト８の片寄りを戻すための仕事量が相乗的に増大することになる。
【００６９】
特に、この実施形態のようにオートテンショナ７を備えたものでは、上記のようにベルト８が緩めば、これを押圧するようにテンションプーリ５が移動して、ベルト８の張力を維持しようとするから、その後、ベルト８の片寄りを戻そうとすれば、テンションプーリ５を押し返しながらベルト８を張り直さなくてはならず、そのために必要な力がかなり大きくなってしまう。
【００７０】
また、そうしてベルト８の片寄りを戻すのに大きな力が必要になる一方で、ベルト８の幅が狭いときには、上記のようにプーリ本体６０が回動変位してその外周がクラウンのように傾斜した状態になっても、狭いベルト幅内にて生じる張力差があまり大きくはならないから、ベルト８の片寄りを戻すクラウン作用が弱くなってしまう。
【００７１】
以上、要するに、自動調心プーリ（アイドラプーリ６）に巻き掛けるベルト８の幅が狭いときには、その走行位置の片寄りによってプーリ本体６０の過大な回動変位が起こりやすく、片寄ったベルト８を元の走行位置に戻すのに必要な仕事量が大きくなる上に、そのベルト８を戻すための力は弱くなるので、ベルト８の片寄りをなかなか戻すことができなくなり、場合によってはベルト８が片寄ったままになってしまうのである。
【００７２】
さらに、そうしてプーリ本体６０が大きく回動変位するほど、その外周の傾斜が急になるから、上記したように、その外周に沿ってベルト８をさらに片寄らせるように作用する力Ｆ１が大きくなって（図１１参照）、この力Ｆ１がベルト８とプーリ本体６０の外周面との間の摩擦力Ｄを上回れば、ベルト８がプーリ本体６０から滑り落ちることもある。
【００７３】
上述の如き考察に基づいて、本願の発明者は、まず、補機駆動システムＡのアイドラプーリ６を自動調心プーリではなく通常の平プーリとした試験機を準備し、プーリ１〜５のミスアライメントを所定の規格内に収めた上で、ベルト８の任意の箇所がアイドラプーリ６を出発して、１回転して戻ってくるまでに生じる幅方向の片寄り量を実際に測定した。この測定は所定回数、繰り返して行い、その結果から、プーリ１〜５のミスアライメントやベルト８の癖などによって補機駆動システムＡにおいて自然に発生する通常の片寄り量を特定した。
【００７４】
そうして、この実施形態の補機駆動システムＡでは、ベルト８の幅を、上記の如く特定した片寄り量の２倍以上に設定している。こうしたことで、エンジンＥの通常の運転状態では、ベルト８が１回転する間にアイドラプーリ６のプーリ本体６０上で幅方向に片寄っても、このベルト８の幅全体がプーリ本体６０の幅の略中央位置（枢軸の位置）を越えることがなく、その幅内に枢軸Ｃ２の位置を跨いだままになる。
【００７５】
そして、上述したように、ベルト８の片寄りに応じて働くモーメント力によってプーリ本体６０が揺動して、ベルト８の走行位置がプーリ本体６０の幅の中央（枢軸の位置）寄り）に戻されるので、ベルト８は、図６，７や図９に示すように常にその幅内に枢軸の位置Ｃ＊（図９に示す）を跨いで走行するようになる。このため、通常のベルト８の片寄りによってプーリ本体６０が過度に大きく回動変位することはなく、従って、その片寄りがなかなか戻らなくなったり、さらには片寄ったままになることがない。
【００７６】
これに加えて、この実施形態では、上記ベルト８の背面とプーリ本体６０の外周面との間の摩擦係数μを、該プーリ本体６０が揺動して枢軸Ｃ２の周りに最大限に回動変位したときでも、プーリ本体６０の回転中心軸Ｃ１が軸荷重Ｌの方向に対してなす角度をθとして、  μ  ≧  cotθ  （０＜θ≦π／２）  という関係式を満たすように設定しており、このことで、ベルト８とプーリ本体６０の外周面との間の摺動摩擦力を確保して、プーリ本体６０が大きく傾斜したときでも、そこからベルト８が滑落することを防止することができる。
【００７７】
すなわち、上記図１１に示すように、アイドラプーリ６のプーリ本体６０が回動変位したときに、その回転中心軸Ｃ１と軸荷重Ｌのベクトルとが両方含まれている仮想平面において、ベルト８には、その張力によって当該ベルト８をプーリ本体６０の外周面に押し付けるように作用する軸荷重相当力Ｆと、そのプーリ本体６０の外周面からの反力Ｆ０とが作用し、それらの合力として、ベルト８をプーリ本体６０の外周に沿って滑り落とすように作用する力Ｆ１が作用する。そして、その力Ｆ１とは逆向きに、ベルト８とプーリ本体６０の外周面との間には摺動摩擦力Ｄが作用する。
【００７８】
そして、ベルト８の滑落を防止するためには、上記摺動摩擦力Ｄが、プーリ本体６０の最大回動時においてその外周面の傾斜が最大限に急になったときでも、上記ベルト８を滑落させる力Ｆ１以上であればよいから、
摺動摩擦力Ｄ  ＝  μ×Ｆ０  ＝  Ｆsinθ  （０＜θ≦π／２）
ベルト８を滑落させる力Ｆ１  ＝  Ｆcosθ  （０＜θ≦π／２）  であれば、
Ｄ  ＝  μ×Ｆsinθ  ≧  Ｆ１  ＝  Ｆcosθ  となり、従って、
μ  ≧  cosθ／sinθ  ＝cotθ  （０＜θ≦π／２）  という関係式を満たせばよいのである。
【００７９】
したがって、上述した実施形態の補機駆動システムＡによると、ベルト８の幅を適度に広く設定したことで、エンジン１の通常の運転状態であれば、自動調心プーリであるアイドラプーリ６の作用によって、ベルト８の走行位置を片寄りが比較的小さいうちに中央寄りに戻して、その蛇行や片寄り走行を防止することができる。
【００８０】
その際、アイドラプーリ６のプーリ本体６０が過度に大きく回動変位することがないから、片寄ったベルト８が戻り難くなったり、片寄ったままになったりすることがなく、ひいてはプーリ本体６０からのベルト８の滑落も防止できる。
【００８１】
さらに、上記プーリ本体６０の外周面に対するベルト８背面の摩擦係数の設定により、仮に大きな外乱などによってベルト８がプーリ本体６０の端部付近まで片寄り、これに応じて該プーリ本体６０が最大限に回動変位したとしても、張力によってベルト８がプーリ本体６０から引き落とされることはなく、万が一のベルトの滑落も防止できる。
【００８２】
尚、上述した補機駆動システムＡでは、図１に示すように、自動調心プーリであるアイドラプーリ６に対してベルト８を比較的大きな角度で巻き付けており（図の例では巻付け角は１８０°に近い）、こうすることで、巻き付き角度の小さい場合に比べてプーリ本体６０に枢軸Ｃ２の周りの回動モーメントを作用させやすいが、これに限るものではなく、ベルト８の片寄りに応じてプーリ本体６０を自動的に回動変位させるためには、ベルト８の巻付け角を少なくとも１０°以上にすればよい。
【００８３】
また、例えば図１２に一例を示すように、アイドラプーリ６へのベルト８の巻付け角を１８０°以上にすれば、プーリ本体６０に枢軸Ｃ２周りの回動モーメントは十分に作用させながら、ベルト８からプーリ本体６０への分布荷重のうち互いに直径方向に対向する成分同士をキャンセルさせて、軸部材６２や支持ロッド６３、或いはピン６４などに加わる軸荷重Ｌ自体は小さくすることができ、それらの部材の負荷を減らして、耐久性を向上できる。
【００８４】
また、上記アイドラプーリ６（自動調心プーリ）においてプーリ本体６０が軸荷重Ｌの方向に傾斜してベルト８の片寄りを戻す作用（クラウン作用）と、該プーリ本体６０がベルト８の走行方向に対して斜交いになって戻す作用とでは、後者の方がベルト８の片寄りを効果的に防止できることが多いので、その斜交いになって片寄りを戻す作用を有効に利用するために、枢軸Ｃ２の傾倒角αは０度を越え４５度以下の範囲に設定するのが好ましい。
【００８５】
また、上記アイドラプーリ６においては、支持ロッド６３のＤカット面６３ｂと軸部材６２の対向面６２ａとの間に介設したニードルベアリング６６によって、枢軸Ｃ２方向の軸荷重成分を受けるようにしているが、これに限るものではなく、上記Ｄカット面６３ｂと対向面６２ａとの間に樹脂製等の摺動材を介設するだけでもよいし、それら両面６３ｂ，６２ａを直接、摺接させるようにすることもできる。
【００８６】
また、上記アイドラプーリ６においては、枢軸Ｃ２をピン６４によって構成しているが、これに限らず、上記枢軸Ｃ２を例えば上記支持ロッド６３のＤカット面６３ｂ上に成形した半球状凸部によって構成してもよいし、或いは、該Ｄカット面６３ｂに凹設した窪みに球体を嵌めこむことによって構成してもよい。これらの場合には、軸部材６２の対向面６２ａ上に上記半球状凸部や球体を嵌めこむための窪みを凹設すればよい。
【００８７】
さらに、上記アイドラプーリ６においては、プーリ本体６０及び軸部材６２の揺動中心である枢軸Ｃ２が、該プーリ本体６０の回転中心軸Ｃ１と直交しているが、これに限るものではなく、該枢軸Ｃ２は、プーリ本体６０の回転中心軸Ｃ１に沿って見たときに軸荷重Ｌの方向に対して所定角度α傾倒していれば、回転中心軸Ｃ１とは交差しなくてもよい。
【００８８】
また、上述した補機駆動システムＡでは、自動調心プーリをアイドラプーリ６として用いているが、これに限らず、例えばテンションプーリ５など、クランクプーリ１以外のいずれのプーリ２〜５として用いてもよい。また、ベルト８としては、平ベルト以外に歯付ベルトを用いることもできる。
【００８９】
さらに、本発明の自動調心プーリは、上記補機駆動システムＳに限らず、それ以外にも各種の産業機械、その他の機器に利用することが可能であり、その場合にも駆動プーリ以外の任意のプーリとして用いることができる。例えば、ベルトの長さや接触角の調節、ベルト走行方向の変更等、ベルト駆動装置における種々の用途に自動調心プーリを利用することができる。
【産業上の利用可能性】
【００９０】
以上、説明したように、本発明に係るベルト駆動装置は、例えば平ベルトの耐久性や伝動能力の低下、或いは製造コストの上昇を招くことなく、その蛇行や片寄りを確実に防止することができるから、伝動効率の非常に高い平ベルトを十分に活用できるようになり、例えば自動車、農機、各種産業機械、家電製品、その他のあらゆる装置に適用して、高い省エネ効果が得られる極めて利用可能性の高いものである。
【図面の簡単な説明】
【００９１】
【図１】本発明に係るベルト駆動装置をエンジンの補機駆動装置に適用した場合の概略構成例を示す図である。
【図２】自動調心プーリの構成例を示す枢軸の方向に見た一部断面図である。
【図３】同プーリを枢軸と直交する方向に見た一部断面図である。
【図４】同プーリの使用状態を一部断面で示す側面図である。
【図５】同使用状態において軸荷重により軸部材に回転モーメントが発生することを説明するための斜視図である。
【図６】同使用状態においてベルトが片寄ったときのプーリ本体の回動変位の様子を軸荷重Ｌに直交する方向（図４の矢印VIの方向）に見て模式的に示す説明図である。
【図７】軸荷重Ｌの方向（図４の矢印VIIの方向）に見た図６相当図である。
【図８】同プーリのプーリ本体の回動変位によってベルトが緩む様子を誇張して示す説明図である。
【図９】ベルトが枢軸の位置を跨いで走行する場合の分布荷重と、その合力によって発生する回動モーメントとの関係を説明する図である。
【図１０】ベルト幅が狭い場合の図１０相当図である。
【図１１】プーリ本体が回動変位したときにベルトに作用する力の釣り合いを説明する図である。
【図１２】アイドラプーリへベルトを１８０°以上、巻き付けた他の実施形態に係る図１相当図である。
【符号の説明】
【００９２】
Ａ      補機駆動システム（ベルト駆動装置）
１〜５  プーリ
６      アイドラプーリ（自動調心プーリ）
８      ベルト
６０    プーリ本体
Ｃ１    回転中心軸
Ｃ２    枢軸
Ｌ      軸荷重
【図１】
2006300189.tif 000003
【図２】
2006300189.tif 000004
【図３】
2006300189.tif 000005
【図４】
2006300189.tif 000006
【図５】
2006300189.tif 000007
【図６】
2006300189.tif 000008
【図７】
2006300189.tif 000009
【図８】
2006300189.tif 000010
【図９】
2006300189.tif 000011
【図１０】
2006300189.tif 000012
【図１１】
2006300189.tif 000013
【図１２】
2006300189.tif 000014